(57)【要約】      （修正有）【課題】傘を閉じる時に、比較的弱い力でも傘の中棒を収納できる自動開閉折りたたみ傘に用いる傘を開くスプリングの構造を提供する。【解決手段】主に自動開閉折りたたみ傘に用いる傘を開くスプリング３の構造である。該傘を開くスプリングを傘中棒の中に設置し、傘を開く際に傘中棒を伸展するパワーを提供する。単一の線径の線材を以って一体巻きにして構成し、軸方向に沿って一体化した数段の異なる外径のコイルに分かれる。また相隣する二段のコイルの間に一つの漸変部３４を設け、上段のコイル３５の外径は、下段のコイル３６の外径よりも大きく、漸変部のコイルは、上段のコイルの外径が軸方向に沿って下に行くほど次第に縮小して下段のコイルの外径になる。【選択図】図３
0003187064.tif 000002
【実用新案登録請求の範囲】
【請求項１】
傘を開くスプリング、コイル及び漸変部を含み、
該傘を開くスプリングは自動開閉折りたたみ傘の傘中棒内に配置し、傘を開く時に、傘中棒を伸展するパワーを提供し、当該特徴は、該傘を開くスプリングは単一の線径を以って一体巻きにして構成し、一繋ぎのコイルは、異なるコイルの外径に基づき数段に分かれ、相隣する二段のコイルの間には漸変部を設け、
該相隣する二段のコイルの上段コイルの外径は下段コイルの外径より大きく、
該漸変部のコイル外径は軸方向に沿って下に行くほど小さくなることを特徴とする自動開閉折りたたみ傘に用いる傘を開くスプリングの構造。
【請求項２】
前記傘を開くスプリングの漸変部のコイルの中に、下一つのコイルの外径のサイズが上一つのコイルの内径及び外径の間にあることで、コイルを軸方向に圧縮或いは互いに抵触することができることを特徴とする請求項１記載の傘を開くスプリングの構造。
【請求項３】
前記傘を開くスプリングの漸変部のコイルの中で、下一つのコイルの外径のサイズが、上一つのコイルの内径より小さくすることで、径方向の干渉がなく、コイルを軸方向に圧縮することができることを特徴とする請求項１記載の傘を開くスプリングの構造。
【請求項４】
前記傘を開くスプリングの上段のコイルのピッチは、下段のコイルのピッチよりも大きいことを特徴とする請求項１記載の傘を開くスプリングの構造。
【請求項５】
前記傘を開くスプリングは上から下に順に一つの上段スプリングと一つの下段スプリングを含み、該上段スプリングと該下段スプリングの間に一つの漸変部を配置し、該上段スプリングの下端は該漸変部を通過して該下段スプリングの上段にまで漸変することを特徴とする請求項１記載の傘を開くスプリングの構造。
【請求項６】
前記傘を開くスプリングは上から下に順に一つの上段スプリング、一つの中段スプリング及び一つの下段スプリングを含み、該上段スプリングと該中段スプリングの間及び、該中段スプリングと該下段スプリングの間に、コイルの外径の大小に基づき順に上と下に各一つの漸変部を配置することを特徴とする請求項１記載の傘を開くスプリングの構造。
【請求項７】
前記各漸変部のコイルのピッチは、コイル本体の線径よりも大きく或いは同じとすることを特徴とする請求項１或いは請求項５或いは請求項６記載の傘を開くスプリングの構造。
【請求項８】
前記自動開閉折りたたみ傘に含まれるのは一つの傘中棒、一つの親骨、数個の閉じるスプリング、一つの制御機構であり、
該傘中棒に含まれるのは一つの内管、少なくとも一つの中管及び一つの外管であり、該内管の底部に一つの傘ヘッドを接続し、該中管は該内管の外側の上に滑合し、該外管は該中管の外側の上に滑合し、該頂端に一つの上ろくろを設け、
該親骨組立に含まれるのは一つの補助骨と一つの受骨および数個の親骨であり、該補助骨の中端は該傘中棒の上ろくろと接続し、該受骨は該補助骨と接続し、該受骨の中端は下ろくろと接続し、それにより傘中棒の外管を滑合し、及び複数の親骨は互いに接続し、且つ該補助骨と該受骨と接続し、
複数の傘を閉じるスプリングは親骨組立の補助骨と受骨の間に設置することができ、
該制御機構に一つのボタンを具有し、該ボタンは傘ヘッドに設置し、ボタンを押すことで、傘を開くスプリングの弾力を上向きに伸びて下ろくろ及び傘中棒の全ての管を押し、親骨組立の各親骨を外側に伸ばして傘を開き、もう一度ボタンを押すと、傘を閉じる動作となり、
該傘を開くスプリングの下端は傘中棒の内管の下部に抵触して設置し、上端は該上ろくろの底部と抵触することを特徴とする請求項１記載の傘を開くスプリングの構造。
【請求項９】
前記傘中棒の中管が一つである場合、該傘を開くスプリングにある漸変部は該中管の中に位置することを特徴とする請求項８記載の傘を開くスプリングの構造。
【請求項１０】
前記傘中棒の中管が二つである場合、該第二中管は第一中管の外側の上を滑合し、該傘を開くスプリングの漸変部は第二中管の中に位置することを特徴とする請求項８記載の傘を開くスプリングの構造。
【考案の詳細な説明】
【技術分野】
【０００１】
本考案は傘を開くスプリングの構造に関し、特に自動開閉折りたたみ傘に用いる傘を開くスプリングの構造に関する。
【背景技術】
【０００２】
通常自動開閉折りたたみ傘の傘中棒内にいずれも傘を開くスプリングを配置し、傘を開く際に傘中棒を伸展するパワーを提供する。図１に示すように、従来の自動開閉折りたたみ傘の傘中棒１００は外から内側に順に滑動的に套接する外管１０１、中管１０２及び内管１０３を含み、傘を開くスプリング２００は単一外径のコイルスプリングで構成している。傘を開くスプリング２００を傘中棒１００内に配置するとき、該外径は内管１０３の内径よりやや小さいサイズを採用し、中管１０２及び外管１０１の内径は内管１０３より大きいため、傘を開くスプリング２００が伸展した後、中管１０２及び外管１０１内の比較的大きいスペースの中で容易に曲がってしまって戻しにくいため、傘を開くスプリング２００の弾力が存分に正常に発揮することができず、内部のその他の部品にも引っかかりやすいなど、傘を開くスプリング２００の使用効率及び寿命にも影響を与える。
【０００３】
自動開閉折りたたみ傘が正常に使用できるよう、メーカーは傘を開くスプリングの強度を増そうと試みるが、それにより傘を閉じる時に傘中棒を押すのに相対的に強い力が必要であるため、老弱な方では操作がしにくい。従来技術のＣＮ２０２６３５８４４Ｕ、ＣＮ２０２９９９５８５Ｕ、ＣＮ２０２７７４５６３Ｕ、ＣＮ２０２７３９０３５Ｕでは既に前記欠点を改善した技術を案出している。図２に示すように、元使用する一本の同じ外径を具有する傘を開くスプリングを、二本の独立し、且つ異なる外径を具有するコイルスプリング３０１、３０２に改良し、コイルの外径が比較的大きいもの３０１を比較的小さいもの３０２と上下に繋ぐ方法で傘中棒１００内に設置し、更に傘中棒１００内に該上下二つのコイルスプリング３０１、３０２の掛合部分(図に未掲載)に対応、或いは上下二つのコイルスプリング３０１、３０２の間に対応して一つの接続部品３０３を設置した。しかし、前記二本タイプのスプリング３０１、３０２はそれぞれ別に製造する必要があり、特に別途一つの接続部品３０３のパーツが増える。また、上下二つのスプリング３０１、３０２もまたそれぞれ接続部品３０３と連結する必要があるなど、構造が比較的複雑で、加工プロセスも比較的繁雑となり、コストも高くなる。また、コイルスプリング３０１、３０２は接続部品３０３と連結するために、無効のコイル数を増やすことにもなる。
【０００４】
上記で分かるように、従来技術の一本タイプの傘を開くスプリングでは、簡単に折れてしまう問題を抱え、二本タイプの傘を開くスプリングもまた接続部品３０３と連結して初めて一本タイプに形成して使用できる問題が発生するため、自動開閉折りたたみ傘が正常に使用し、開閉しやすく、設置しやすいなどを考慮すると、傘を開くスプリングが十分な圧縮過程に耐えうる、且つ開く際に十分な弾力を出せるよう、更なる改善が必要であった。
【先行技術文献】
【特許文献】
【０００５】
【特許文献１】特許公開２０１１−９２５５７号公報
【考案の概要】
【考案が解決しようとする課題】
【０００６】
前記公知構造の欠点を解決するため、本考案は構造がシンプルで加工しやすく、コストが低く、傘を閉じる時に、比較的に弱い力でも傘中棒を収納できる自動開閉折りたたみ傘に用いる傘を開くスプリングの構造を提供することを主な課題とする。
【課題を解決するための手段】
【０００７】
前記課題を解決するために、本考案は自動開閉折りたたみ傘に用いる傘を開くスプリングの構造を提供するものである。単一の線径を以って一体巻きにして構成し、一繋ぎのコイル３３は、軸方向に異なるコイルの外径に基づき数段に分かれる。うちの上段のコイルの外径は下段のコイルの外径より大きく、相隣する二段のコイルの間に漸変部３４を設ける。該漸変部３４のコイル外径は軸方向に沿って下に行くほど小さくなる。この構造はシンプル且つ加工が便利、コストが低いものである。また、傘を閉じる際に、比較的弱い力で傘中棒を収納できる素晴らしい効果を持つ。
【考案の効果】
【０００８】
本考案は単一の線径を以って一体巻きにして構成した一繋ぎのコイルと漸変部の設置により、構造がシンプル且つ加工が便利、コストが低く、また、傘を閉じる際に、比較的弱い力で傘中棒を収納できる素晴らしい効果を持つ。
【図面の簡単な説明】
【０００９】
【図１】従来技術の自動開閉折りたたみ傘(一本の同じ外径の傘を開くスプリングを使用)の断面略図である。
【図２】従来技術の自動開閉折りたたみ傘(二本の異なる外径の傘を開くスプリングを使用)の断面略図である。
【図３】本考案の傘を開くスプリングの第一実施例の側視図である。
【図４】本考案の傘を開くスプリングの漸変部の三つの実施例の局部拡大略図である。
【図５】本考案の傘を開くスプリングの漸変部の三つの実施例の局部拡大略図である。
【図６】本考案の傘を開くスプリングの漸変部の三つの実施例の局部拡大略図である。
【図７】本考案の自動開閉３段式の折りたたみ傘を畳んだ状態時の断面図である。
【図８】本考案の自動開閉３段式の折りたたみ傘を開いた状態時の断面図である。
【図９】本考案の自動開閉４段式の折りたたみ傘を開いた状態時の断面図である。
【図１０】本考案の傘を開くスプリングの第二実施例(二つの漸変部を具有)の側視図である。
【図１１】図１０の傘を開くスプリングを自動開閉４段式の折りたたみ傘に応用した断面図である。
【図１２】本考案の傘を開くスプリングと従来技術の一本タイプの傘を開くスプリングのスプリングが受ける力と変形量の関係図である。
【考案を実施するための形態】
【００１０】
以下、本考案の構造と特徴および効果を、最良実施例と図面を参照しながら詳細に説明する。
【実施例】
【００１１】
図３〜図１１に示すように、本考案の傘を開くスプリングは自動開閉折りたたみ傘に用いるものである。該自動開閉折りたたみ傘に含まれるのは一つの傘中棒１、一つの親骨組立２、一つの傘を開くスプリング３、複数の傘を閉じるスプリング４、及び一つの制御機構である。
【００１２】
該傘中棒１に含まれるのは一つの内管１１、少なくとも一つの中管１２及び一つの外管１３である。該内管１１の下に一つの傘ヘッド１４を接続する。該中管１２は該内管１１の外側の上に滑合する。該外管１３は該中管１２の外側の上に滑合し、該外管１３の頂上に一つの上ろくろ１５を設ける。その中、中管１２の数が一つである場合、該傘中棒１は図７と図８に示すように、３段式の折りたたみ傘に応用する。中管１２の数が二つである場合、該傘中棒１は図９、図１１に示すように、４段式の折りたたみ傘に応用し、うち第一中管１２ａは上向きに該内管１１の外側を滑合し、第二中管１２ｂは上向きに第一中管１２ａの外側を滑合する。この他、本考案の傘を開くスプリングは図式の中では３段式及び４段式の自動開閉折りたたみ傘にのみ応用しているが、傘の段数を制限するものではない。つまり、本考案は同じ原理に基づき修正をし、ほかの５段式などの自動開閉折りたたみ傘に応用することもできる。
【００１３】
該親骨組立２に含まれるのは一つの補助骨２１と一つの受骨２２および数個の親骨２４である。該補助骨２１の中端は該傘中棒１の上ろくろ１５と接続する。該受骨２２の中端は下ろくろ２３と接続し、それにより傘中棒１の外管１３を滑合し、且つ補助骨２１と接続する。複数の親骨２４は互いに接続し、且つ該補助骨２１と該受骨２２と接続する。もちろん多種の親骨装置の変化及び自動傘の段数に基づき、該親骨組立２に修正変化を加えることができる。
【００１４】
該傘を開くスプリング３の下端３１は傘中棒１の内管１１の下部に抵触して設置し、上端３２は上ろくろの底部或いは外管１３の頂部と抵触する。
【００１５】
各傘を閉じるスプリング４は親骨組立２の補助骨２１と受骨２２の間に設置することができ、また、親骨組立２のその他の位置に設置することができる。該傘を閉じるスプリング４は、傘を開く際に、傘を開くスプリング３の弾力を介し、該弾性エネルギーを蓄積して傘を閉じる際に用いる。
【００１６】
該制御機構５に一つのボタン５１を具有し、該ボタン５１は傘ヘッド１４に設置する。ボタン５１を押すことでロックを解除し、傘を開くスプリング３の弾力を上向きに伸びて下ろくろ２３及び傘中棒の全ての管１３、１２、１２ａ、１２ｂを押し、親骨組立２の各親骨を外側に伸ばして傘を開く。もう一度ボタン５１を押すと、バックルを解除して傘を開くから傘を閉じる動作に変わる。傘を閉じた後、次回傘を開く際に用いるために、傘ヘッド１４を陣笠１６の方に押して傘を開くスプリング３の弾性エネルギーを圧縮する。この部分は従来技術であるため、これ以上言述しない。
【００１７】
図３から図６に示すように、傘を開くスプリング３は単一の線径を以って一体巻きにして構成する。一繋ぎのコイル３３は、軸方向に沿って順に異なるコイルの外径に基づき連続して数段に分かれ、うちの上段のコイルの外径は下段のコイルの外径より大きく、上段のコイルのピッチは、下段のよりも大きい。相隣する二段のコイル、即ち上段と下段のコイルの間に、漸変部３４を設ける。該漸変部３４のコイルは、垂直方向の中で、同時に内側及び下側に向かって旋回する連続コイル３４１、３４２などのサイズを持ち、つまり該漸変部３４のコイルの外径は垂直の下向き方向に、比較的大きい外径のコイルから次第に外径の小さいものへと変化している。図４、図５に示すように、コイル３４２の外径ｄｏはコイル３４１の内径Ｄｉ及び外径Ｄｏの間に介し、よって図５に示すように、スプリングが軸方向に圧縮する際、コイル３４２は軸方向に圧縮することができ、或いは図４に示すように、軸方向にお互いにコイル３４１に抵触する。図６に示すように、コイル３４２の外径ｄｏはコイル３４１の内径Ｄｉより小さく、よってスプリングが軸方向に圧縮する際、径方向の干渉がなく、コイル３４２は軸方向にコイル３４１を通過することができる。
【００１８】
図３、図７及び図８に示すように、該傘を開くスプリング３に一つの漸変部３４を具有する際、上から下に順に一つの上段スプリング３５と一つの下段スプリング３６を含み、上段スプリング３５と下段スプリング３６の間に漸変部３４を設ける。上段スプリング３５の上端と上ろくろ１５の底部、或いは外管１３の頂部は互いに抵触し、上段スプリング３５の下端は漸変部３４を通過して下段スプリング３６の上端にまで漸変し、下段スプリング３６の下段は内管１１の底部と抵触する。
【００１９】
図１０と図１１に示すように、該傘を開くスプリング３に二つの漸変部３４を具有する際、上から下に順に一つの上段スプリング３５、一つの中段スプリング３７及び一つの下段スプリング３６を含み、上段スプリング３５と中段スプリング３７の間に一つの漸変部３４ａを設け、中段スプリング３７と下段スプリング３６の間にもう一つの漸変部３４ｂを設ける。上段スプリング３５の上端と上ろくろ１５の底部或いは外管１３の頂部は互いに抵触し、上段スプリング３５の下端は漸変部３４ａを通過して中段スプリング３７の上端にまで漸変し、中段スプリング３７の下端は漸変部３４ｂを通過して下段スプリング３６の上端にまで漸変し、下段スプリング３６の下端は内管１１の底部に抵触する。漸変部３４ａのコイルの外径は、漸変部３４ｂのコイルの外径より大きい。
【００２０】
図７と図８に示すように、一つの漸変部３４を具有する傘を開くスプリング３を採用して３段式の自動開閉折りたたみ傘に組み立てる際、つまり一つの中管１２を具有する傘中棒１に設置することであり、該漸変部３４は中管１２の中に位置する。
【００２１】
図９に示すように、一つの漸変部３４を具有する傘を開くスプリング３を採用して４段式の自動開閉折りたたみ傘に組み立てる際、つまり第一中管１２ａと第二中管１２ｂの二つの中管を具有する傘中棒１に設置することであり、該漸変部３４は最も外側にある第二中管１２ｂ内に位置する。
【００２２】
図１１に示すように、二つの漸変部３４ａ、３４ｂを具有する傘を開くスプリング３を採用して４段式の自動開閉折りたたみ傘に組み立てる際、つまり第一中管１２ａと第二中管１２ｂの二つの中管を具有する傘中棒１に設置することであり、上端の漸変部３４ａは最も外側にある第二中管１２ｂ内に位置し、下端の漸変部３４ｂは該第一中管１２ａ内に位置する。
【００２３】
この他、前記の各漸変部３４、３４ａ、３４ｂのコイルのピッチは、コイル本体の線径ｄよりも大きい或いは同じ大きさ線径を採用することができる。
【００２４】
本考案の傘を開くスプリング３の上段コイルの外径は下段コイルの外径よりも大きく、それにより傘を開くスプリング３と傘中棒１の全ての管１３、１２、１２ａ、１２ｂの内壁間のスペースを減らせるため、よって、傘を閉じる時と開く時に、スプリングが曲がって変形する可能性を減らすことができる。また、本考案の傘を開くスプリング３が曲がって変形する可能性は従来技術の一本タイプの傘を開くスプリング２００よりも小さいため、傘を開くスプリング３の使用寿命を延ばすことができる。
【００２５】
本考案の傘を開くスプリング３は３段式の自動開閉折りたたみ傘に応用できるほか、３段式以上の４段式或いは５段式の折りたたみ傘にも応用することができる。自動開閉折りたたみ傘が４段式或いは５段式である場合、傘中棒１の中管１２は二つ或いは二つ以上となり、且つ内側から外側に滑動して套接する。傘を開くスプリング３は４段或いは４段以上の構造で、漸変部３４の数が二つ或いはそれ以上である場合、各漸変部３４は上から下に順に、外側から内側の中管１２(１２ａ、１２ｂ)内に対応して配置される。
【００２６】
自動開閉折りたたみ傘を製造する際に関連規定或いはその他の功能ニーズがある場合、製造者は傘を開くスプリング３のコイル３４の外径、線径、ピッチ及び材料タイプなどをセレクトし、自動開閉折りたたみ傘の応用に必要な軸方向のストロークとバネ定数を提供する。
【００２７】
図１２に示すのは、傘を開くスプリングの受ける力と変形量の関係図である。線Ｌ１１は従来技術の一本タイプの傘を開くスプリング２００を表すもので、該傘を開く力をＦ１、閉じる力をＦ２とする。線Ｌ２は本考案の傘を開くスプリング３を表すもので、該傘を開く力をＦ１、閉じる力をＦ３とする。本考案の傘を開くスプリング３は従来技術の一本タイプの傘の傘を開くスプリング２００と同じ傘を開く弾力性と、比較的弱い力で傘を閉じられるものを提供するため、本考案の傘を開くスプリング３は比較的小さいコイル３４の線径をセレクトし、適切に全体の長さを伸ばすことで、前記のニーズを満たしている。
【００２８】
この他、本考案の傘を開くスプリング３の各実施例は、円形直径の断面を具有するが、本考案を制限するものではなく、コイルスプリング３は楕円形の断面を具有することもできる(図に未掲載)。
【００２９】
本考案と従来技術の自動開閉折りたたみ傘を比較するに、当該メリットは：本考案の傘を開くスプリング３は比較的シンプルであるため、製造をしやすく、コストを下げてメンテナンスもしやすい。傘を開くスプリングは一体成型の多段式の構造を採用することで、各段に必要な弾力は、従来技術の一本タイプの傘を開くスプリングの弾力より弱いため、傘を閉じる際には、比較的弱い力で傘中棒を収納することができる。しかし、スプリングの横変形は従来技術の一本タイプの傘を開くスプリングの横変形よりも小さいため、使用寿命を延ばすことができる。
【００３０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３１】
１  傘中棒
２  親骨組立
３  傘を開くスプリング
４  傘を閉じるスプリング
５  制御機構
１１  内管
１２  中管
１２ａ  第一中管
１２ｂ  第二中管
１３  外管
１４  傘ヘッド
１５  上ろくろ
１６  陣笠
２１  補助骨
２２  受骨
２３  下ろくろ
２４  親骨
３１  下端
３２  上端
３３  コイル
３４  漸変部
３４１  コイル
３４２  コイル
３５  上段スプリング
３６  下段スプリング
３７  中段スプリング
３４ａ  漸変部
３４ｂ  漸変部
５１    ボタン
１００  傘中棒
１０１  外管
１０２  中管
１０３  内管
２００  傘を開くスプリング
３０１  スプリング
３０２  スプリング
３０３  接続部品
【図１】
0003187064.tif 000003
【図２】
0003187064.tif 000004
【図３】
0003187064.tif 000005
【図４】
0003187064.tif 000006
【図５】
0003187064.tif 000007
【図６】
0003187064.tif 000008
【図７】
0003187064.tif 000009
【図８】
0003187064.tif 000010
【図９】
0003187064.tif 000011
【図１０】
0003187064.tif 000012
【図１１】
0003187064.tif 000013
【図１２】
0003187064.tif 000014